(57)【要約】【課題】防滴・防塵機能の高いシート排出装置及びプリンタ装置を提供する。更に、プリンタ用紙等のシートがバックフィードされる時でも、カバー部材が排出口に巻き込まれることを防止したシート排出装置及びプリンタ装置を提供する。【解決手段】排出口４の一辺には、プリンタ用紙５の排出をガイドするガイド部８が設けられている。また、前記排出口４の他辺には可撓性部材９が前記ガイド部８に対向配置されている。前記可撓性部材９は、当該可撓性部材９の撓みを許容する空間を囲んでシートの通過方向に沿って湾曲する曲面部９ａを有し、前記曲面部９ａが、プリンタ用紙５の通過を許容するように、ガイド部８に当接する。前記ガイド部８のプリンタ用紙搬送方向下流側の先端にはプリンタ用紙を切断するカッター１０が形成されている。【選択図】図２
2005001866.tif 000002
【特許請求の範囲】
【請求項１】
シートを筐体内部から排出する排出口と、
前記排出口に設けられ前記シートの前記排出口からの排出を案内するガイド部と、
前記ガイド部に対向配置され前記シートの通過を許容しつつ前記ガイド部に当接する可撓性部材と、を有するシート排出装置において、
前記可撓性部材が、当該可撓性部材の撓みを許容する空間を囲んで前記シートの通過方向に沿って湾曲する曲面部を有し、前記曲面部が前記ガイド部に当接することを特徴とするシート排出装置。
【請求項２】
前記可撓性部材は、シート状弾性体を湾曲させて前記曲面部を形成し、前記曲面部が前記ガイド部に当接するとともに、前記シート状弾性体の両端が前記ガイド部に対向する位置に固定されていることを特徴とする請求項１に記載のシート排出装置。
【請求項３】
前記可撓性部材は、前記シート状弾性体の両端が重ね合わされて前記ガイド部に対向する位置に固定されていることを特徴とする請求項２に記載のシート排出装置。
【請求項４】
前記可撓性部材は前記曲面部の先端が前記ガイド部に当接することを特徴とする請求項１乃至３のいずれかに記載のシート排出装置。
【請求項５】
前記ガイド部が前記シートの排出方向と平行な搬送面を有することを特徴とする請求項１乃至４のいずれかに記載のシート排出装置。
【請求項６】
請求項１乃至５のいずれかに記載のシート排出装置が、前記ガイド部と前記可撓性部材との当接位置よりも前記シートの排出方向下流側に前記シートを切断する切断部を設けたことを特徴とするシート排出装置。
【請求項７】
前記切断部が前記ガイド部の前記シート排出方向下流側の端部に設けられたことを特徴とする請求項６に記載のシート排出装置。
【請求項８】
前記切断部の先端が前記シート排出方向と平行に配置されたことを特徴とする請求項６又は７に記載のシート排出装置。
【請求項９】
前記切断部の先端が前記筐体表面から退避していることを特徴とする請求項６乃至８のいずれかに記載のシート排出装置。
【請求項１０】
前記請求項１乃至９のいずれかに記載のシート排出装置と、
所定のデータをシートに記録するプリンタと、
前記プリンタから前記排出口にシートを搬送する搬送手段と、を備えたことを特徴とするプリンタ装置。
【発明の詳細な説明】
【０００１】
【発明の属する技術分野】
本発明は、防滴・防塵機能を有するシート排出装置及び該シート排出装置を備えるプリンタ装置に関する。
【０００２】
【従来の技術】
従来、屋外でも使用することがある例えば、携帯情報端末機などに用いられるプリンタ装置は、印刷記録後のプリンタ用紙を排出する排出口に防滴・防塵機能を備え、前記排出口からプリンタ装置内部に雨等の水滴や塵等の異物が入ることを防止している。
【０００３】
図９は従来のシート排出装置を備えたプリンタ装置を示す概略断面図である。
【０００４】
図９に示す従来のシート排出装置を備えたプリンタ装置は、図示しないシートであるプリンタ用紙の収容部に収容されたロール紙やファンフォールド紙等のプリンタ用紙１００を搬送するプラテンローラ３００と、前記プラテンローラ３００の外周面に対向配置され、前記プラテンローラ３００によって搬送される前記プリンタ用紙１００に印字する印刷ヘッド５００と、印刷されたプリンタ用紙１００を排出する排出口１１０と、前記排出口１１０からプリンタ装置内部に雨等の水滴や塵等の異物が入ることを防止する可撓性を有するカバー部材３２０と、排出された印刷後のプリンタ用紙を切断するカッター３１０と、を備えている。
【０００５】
前記カバー部材３２０は、シート状弾性体の一端がプリンタ装置内の前記排出口１１０の一辺に固定され、他端が前記排出口１１０の他辺にプリンタ装置の外側から当接されている。また、前記排出口１１０の一辺には、前記カッター３１０がその刃先を前記排出口１１０に突出するように前記カバー部材３２０にプリンタ装置内部側から重ね合わされて固定されている。
【０００６】
このようなプリンタ装置は、プリンタ用紙１００の未排出時には、図９に示すように、前記カバー部材３２０が前記排出口１１０を塞いで、当該排出口１１０からプリンタ装置内に異物等が侵入することを防止して防滴・防塵機能を得ている。
【０００７】
また、プリンタ用紙１００の排出時には、当該プリンタ用紙１００の表裏面に前記排出口１１０の他辺及び前記カバー部材３２０が当接して前記排出口１１０が開放されることを防止して防滴・防塵機能を得ている。
【０００８】
しかし、上記従来のプリンタ装置に備えられたシート排出装置は、前記カバー部材３２０の先端を前記排出口１１０に密接させることが困難であり、隙間からプリンタ装置内に水滴や塵が入り込む恐れがある。
【０００９】
また、前記排出口１１０から排出されたプリンタ用紙１００を切断する場合には、図１０に示すように、前記プリンタ用紙１００を前記カバー部材３２０と共にめくり上げて、前記カッター３１０の刃先に当てて切断する。このためプリンタ用紙１００の切断時に前記排出口１１０に隙間が生じて、そこから装置内部に雨水や塵等の異物が侵入する問題が発生する。
【００１０】
そこで、このような問題を解決するために、カッターを排出口の一辺から他辺に水平方向に突出させるように前記排出口の一辺に備え、前記排出口の他辺に当該排出口から排出されるプリンタ用紙を前記カッターの刃先に押し付ける第１の遮蔽板を配置し、更に、前記カッターの刃先から若干突出して、少なくとも前記カッターの刃先を覆うように、前記カッターの上面に第２の遮蔽板を重ねて配置したプリンタ用紙出口の防塵装置が提案されている（例えば、特許文献１参照。）。
【００１１】
このようなプリンタ用紙出口の防塵装置を備えたプリンタ装置では、プリンタ用紙１の未排出時には、前記カッターの刃先が前記第１の遮蔽板に当接し、プリンタ用紙１の排出時には、前記カッターの刃先と前記第１の遮蔽板とでプリンタ用紙を挟み込み、装置内に異物が侵入することを防止する。また、前記第２の遮蔽板が前記カッターの刃先とプリンタ用紙の間、または、前記カッター刃先と前記第１の遮蔽板との間に生じる隙間を塞ぐことにより、カッターの刃先形状によらず、排出口からプリンタ装置内に雨水や塵等の異物が侵入することを防止している。
【００１２】
【特許文献１】
特許第２６９７９７１号公報
【００１３】
【発明が解決しようとする課題】
しかしながら、上記特許文献１に開示されたプリンタ用紙出口の防塵装置は、前記カッターの刃先を、前記第１の遮蔽板又は、プリンタ用紙に当接させて装置内に異物が侵入することを防止しているので、プリンタ用紙の不測の切断又は前記第１の遮蔽板の破損等を考慮すると、前記カッターの刃先を前記第１の遮蔽板又はプリンタ用紙に密接させることは難しく、やはり、プリンタ装置内に水滴や塵が入り込む問題が発生する。
【００１４】
更に、上記問題点に加えて、図９に示す従来のプリンタ装置は、プリンタ用紙をプリンタ装置内に戻す方向に搬送した場合（バックフィード時）に、カバー部材３２０がプリンタ用紙に引っ張られるようにして排出口１１０からプリンタ装置内部に巻き込まれてしまうという問題があった。カバー部材３２０が排出口１１０に巻き込まれてしまうと、防滴・防塵機能が得られないだけでなく、カバー部材３２０の弾性力だけでは正常な位置に復元することができず、装置を分解してカバー部材３２０を元の位置に戻す等の処理が必要となる。
【００１５】
本発明は、上記した従来のプリンタ装置及び特許文献１に開示されたプリンタ用紙出口の防塵装置の問題点を解決することを目的とするものである。より特定すれば、本発明は、防滴・防塵機能の高いシート排出装置及びプリンタ装置を提供することを目的とし、更には、プリンタ用紙等のシートがバックフィードされる時でも、カバー部材が排出口に巻き込まれることを防止したシート排出装置及びプリンタ装置を提供することを目的とするものである。
【００１６】
【課題を解決するための手段】
上記目的を達成するために本発明にあっては、シートを筐体内部から排出する排出口と、前記排出口に設けられ前記シートの前記排出口からの排出を案内するガイド部と、前記ガイド部に対向配置され前記シートの通過を許容しつつ前記ガイド部に当接する可撓性部材と、を有するシート排出装置において、前記可撓性部材が、当該可撓性部材の撓みを許容する空間を囲んで前記シートの通過方向に沿って湾曲する曲面部を有し、前記曲面部が前記ガイド部に当接することを特徴とする。
【００１７】
ここで、前記ガイド部は、前記排出口に前記筐体と一体的に形成されたもの、別部材とされたものいずれも含むものである。
【００１８】
また、前記ガイド部は、シートとの接触面が平面とされたもの、曲面とされたもの等、特にその形状が限定されるものではない。
【００１９】
また、前記可撓性部材は、シート状の弾性体を湾曲させて曲面部を形成したものに限られず、例えば、中空のチューブ等も含まれる。
【００２０】
尚、前記可撓性部材は、前記可撓性部材の撓みを許容する空間の全周を囲むもののみならず、例えば、前記空間の一部を囲むものも含む。例えば、前記可撓性部材の一部に切り欠きを有するものを含む。
【００２１】
このような構成を備えた本発明によれば、シート未排出時は、前記可撓性部材の曲面部が前記ガイド部に隙間なく当接し、また、シート排出時は、前記可撓性部材の曲面部がシートの搬送方向に左右されずに変形しつつ、シートの表裏面に前記ガイド部及び前記可撓性部材の曲面部が隙間なく当接するので、シートの排出時及び未排出時いずれにおいても高い防滴・防塵機能を得ることができる。
【００２２】
更には、シートのバックフィード時に可撓性部材がシートに引っ張られて排出口から筐体内に巻き込まれることが防止できる。即ち、本発明によれば、前記可撓部材を前記排出口から筐体内に巻き込むような力が作用しても、前記可撓性部材に復元力が働き正常な位置に復元して排出口の防滴・防塵機能を維持することができる。
【００２３】
本発明の好ましい態様によれば、前記可撓性部材は、シート状弾性体を湾曲させて前記曲面部を形成し、前記曲面部が前記ガイド部に当接するとともに、前記シート状弾性体の両端が前記ガイド部に対向する位置に固定されていることを特徴とする。
【００２４】
このような構成によれば、前記可撓性部材は、シート状弾性体を湾曲させて前記曲面部を形成するのでシンプルな構成であり、前記湾曲されたシート状弾性体の曲面部を柔軟に変形させながら、前記ガイド部の正常な位置に復元するので、前記可撓性部材の前記ガイド部に対する当接力を前記シートの搬送方向に影響を受けること無く、維持し続ける事ができる。
【００２５】
従って、前記排出口に常に隙間を生じさせることがなく、水滴や塵等の異物が筐体内に侵入することが防止できる。また、シートのバックフィード時に可撓性部材がシートに引っ張られて排出口から筐体内に巻き込まれることが防止できる。
【００２６】
本発明の好ましい態様によれば、前記可撓性部材は、前記シート状弾性体の両端が重ね合わされて前記ガイド部に対向する位置に固定されていることを特徴とする。
【００２７】
本発明の好ましい態様によれば、前記可撓性部材は前記曲面部の先端が前記ガイド部に当接することを特徴とする。
【００２８】
本発明の好ましい態様によれば、前記ガイド部がシートの排出方向と平行な搬送面を有することを特徴とする。
【００２９】
従って、シートの表裏面は、平行な搬送面を有する前記ガイド部と前記可撓性部材の曲面部とに隙間なく当接するので、高い防滴・防塵機能を得ることができるとともに、シートの排出口への排出がスムーズに行われる。
【００３０】
本発明の好ましい態様によれば、前記シート排出装置が、前記ガイド部と前記可撓性部材との当接位置よりもシートの排出方向下流側にシートを切断する切断部を設けたことを特徴とする。
【００３１】
前記切断部は、シートが切断できれば特に刃先形状が限定されるものではない。また、前記切断部は、前記ガイド部の端部に一体に形成されたものや、交換可能に別体に形成されたものを含む。また、前記ガイド部と前記切断部材とを一体に形成し、当該ガイド部を前記排出口から着脱可能としたものでも良い。
【００３２】
従って、シートの厚みや硬さに左右されずにシートを容易に切断することが可能となる。また、シート切断時に前記可撓性部材が捲れて排出口に隙間が生じることがない。更に、シートを前記切断部により切断する際に発生する紙粉等が筐体内内部に落下、蓄積して筐体内に備えられ、プリンタ装置等の故障を引き起こす恐れが無い。更には、かかる故障を防止するために定期的なメンテナンスを行い機器を分解して紙粉等を取り除くという手間を省略できる。
【００３３】
本発明の好ましい態様によれば、前記切断部が前記ガイド部の前記シート排出方向下流側の端部に設けられたことを特徴とする。
【００３４】
本発明の好ましい態様によれば、前記切断部の先端が前記シート排出方向と平行に配置されたことを特徴とする。
【００３５】
従って、シートの排出時には、前記切断部の先端がシートに接触することがなく排出口からの排出がスムーズに行われるとともに、シートを切断する場合には、当該シートの切断部位が前記切断部の先端に当接するようにシートを引き上げて切断するので、プリンタ用紙の容易な切断が可能となる。
【００３６】
本発明の好ましい態様によれば、前記切断部の先端が前記筐体表面から退避していることを特徴とする。
【００３７】
従って、切断部材の先端が保護される。
【００３８】
また、上記目的を達成するため本発明のプリンタ装置にあっては、前記シート排出構造と、所定のデータをシートに記録するプリンタと、前記プリンタから前記排出口にシートを搬送する搬送手段と、を備えたことを特徴とする。
【００３９】
このような構成を備えた本発明によれば、前記プリンタ装置の排出口が、常に隙間を発生させずに水滴や塵等の異物が筐体内に侵入することが防止できる。また、前記可撓性部材の前記曲面部の前記ガイド部に対する当接力は、シートの搬送方向に影響を受けない。このため、シートのバックフィード時に可撓性部材がシートに引っ張られて排出口から筐体内に巻き込まれることが防止できる。
【００４０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００４１】
図１は、本発明のシート排出装置及び該シート排出装置を備えたプリンタ装置が一例として適用される携帯情報端末、いわゆるハンディターミナルを示す斜視図である。
【００４２】
前記携帯情報端末１は、図１に示すように、下方に情報入力ボタンや画像表示面を備えた入力部２を備え、前記入力部２の上方に当該入力部２から入力された情報に基づいて情報を、印刷媒体のシートであるプリンタ用紙に印字して出力するプリンタ装置３を備えている。また、前記プリンタ装置３の筐体３Ａには、印刷後のプリンタ用紙を前記筐体３Ａ内部から排出する排出口４が形成されている。
【００４３】
〔第１の実施の形態〕
図２は本発明の第１の実施の形態に係るシート排出装置及び該シート排出装置を備えたプリンタ装置を示す断面図である。
【００４４】
第１の形態に係るシート排出装置を備えたプリンタ装置は、筐体３Ａ内に、図示しないプリンタにより印字されたロール紙やファンフォールド紙等のプリンタ用紙５を搬送するプラテンローラ６及び当該プラテンローラ６の外周面に当接するように対向配置されるピンチローラ７が備えられている。
【００４５】
前記排出口４の一辺には、図中斜め右上方（矢印Ｐ方向）へのプリンタ用紙５の排出をガイドするガイド部８が、前記筐体３Ａと一体的に設けられている。また、前記排出口４の他辺には、前記ガイド部８に対向配置される可撓性部材９が配置されている。前記可撓性部材９の先端は、前記ガイド部８に対して、前記プリンタ用紙５の通過を許容しつつ当接されている。
【００４６】
前記ガイド部８は、プリンタ用紙の搬送方向（図中Ｐ方向）と平行な搬送面８ａを有している。前記搬送面８ａは、前記排出口４における前記筐体３Ａ断面の全幅にわたって形成される。また、前記搬送面８ａは、前記排出口４の長手方向（図中、紙面上下方向）の全域又は少なくともプリンタ用紙の幅より幅広に形成されている。
【００４７】
前記ガイド部８のプリンタ用紙搬送方向下流側の先端は、前記プリンタ用紙を切断する切断部である鋭角状のカッター１０を備えている。更に、前記カッター１０の先端は、前記プリンタ用紙の搬送方向と平行に且つ、前記筐体３Ａの表面から突出しないように、前記筐体３Ａの表面から退避して形成されている。
【００４８】
前記可撓性部材９は、長方形のシート状弾性体の長手方向と直交する方向を折り返すように湾曲させて曲面部９ａを形成するとともに、前記シート状弾性体の両端が、前記排出口４の他辺から前記プリンタ装置３内に垂下する突状部１１に固定されて、撓みを許容する空間を囲んだループ形状とされている。
【００４９】
前記曲面部９ａの先端は、前記ガイド部８の搬送面８ａとの間で前記プリンタ用紙５の通過を許容しつつ前記ガイド部８の搬送面８ａに当接されている。また、前記可撓性部材９は、前記搬送面８ａに対応して、前記排出口４の長手方向（図２中、紙面上下方向）の全域又は少なくともプリンタ用紙幅より幅広に形成されている。
【００５０】
前記可撓性部材９を構成する前記シート状弾性体は、シリコンゴムやＮＢＲ等からなり、ゴム硬度５０度、厚さ０．２ｍｍ程度のものを使用することが望ましい。
【００５１】
前記可撓性部材９を構成する前記シート状弾性体の両端部分は、所定の間隔を維持するようにスペーサ部材１１ａが介在されている。また、前記スペーサ部材１１ａの中心と前記曲面部９ａの先端を通る中心線が、前記ガイド部８の搬送面８ａに対して垂直となるように、前記可撓性部材９が前記突状部１１に固定されている。
【００５２】
前記カッター１０は、前記可撓性部材９の先端が前記搬送面８ａに当接する位置よりも前記プリンタ用紙の排出方向下流側に配置される。
【００５３】
尚、図３に示すように、上記搬送手段の一部であるピンチローラ７を設けずに、プリンタ用紙への印字を行う印字ヘッド１２を前記ピンチローラ７と同じ位置に配置して、前記印字ヘッド１２によりプリンタ用紙に対して所望の印字を行うようにしても良い。
【００５４】
このように構成した前記プリンタ装置３は、プリンタ用紙５の排出時は、前記ガイド部８の前記搬送面８ａと前記可撓性部材９の前記曲面部９ａの先端とによりプリンタ用紙の表裏面を挟み込むようにして排出口４からプリンタ用紙５が排出される。また、プリンタ用紙５の未排出時は、前記ガイド部８の前記搬送面８ａに、前記可撓性部材９の前記曲面部９ａの先端が当接するので、前記排出口４は常に隙間無く閉鎖され、前記排出口４からプリンタ装置３内に水滴や異物等が侵入せず防滴・防塵機能を得ることができる。
【００５５】
図４は第１の実施の形態に係るシート排出装置及び該シート排出装置を備えたプリンタ装置により、プリンタ用紙を切断する状態を説明する断面図である。
【００５６】
図４に示すように、プリンタ用紙の切断時には、プリンタ用紙を前記カッター１０に当接するように搬送方向（図中Ｐ方向）から引き上げて切断する。前記カッター１０は、前記可撓性部材９の先端が前記搬送面８ａに当接する位置よりも前記プリンタ用紙の排出方向下流側に配置されており、前記可撓性部材９が、プリンタ用紙によって、捲れて排出口４に隙間が生じることが無い。
【００５７】
従って、プリンタ用紙の切断時においてもプリンタ装置内に水滴や異物等が侵入せず防滴・防塵機能を得ることができる。また、プリンタ用紙を前記カッター１０により切り取った際に発生する紙粉等がプリンタ装置内部に落下することが防止できる。
【００５８】
また、前記可撓性部材９は撓みを許容する空間を囲んだループ形状とされているので、プリンタ用紙の排出時に、前記可撓性部材９が前記プリンタ用紙に引っ張られるような力が作用しても、前記可撓性部材９はそのループ形状を柔軟に変形させながら安定して前記ガイド部８の前記搬送面８ａと前記可撓性部材９の曲面部９ａとの間で前記プリンタ用紙を挟み込むことが出来る。また、前記可撓性部材９は、前記プリンタ用紙の排出方向に左右されずに当該可撓性部材９の先端が正常な位置に復元することができる。
【００５９】
従って、前記プリンタ用紙の排出時においても、プリンタ用紙の表裏面に前記ガイド部８の前記搬送面８ａ及び前記可撓性部材が隙間なく当接して、高い防滴・防塵機能を得ることができる。また、プリンタ用紙のバックフィード時に前記可撓性部材９の先端が引張られるようにしてプリンタ装置内に巻き込まれることが防止できる。
【００６０】
また、前記カッター１０として、切れ味が良いとされている連接する多数の切断刃を持つ鋸状のギザギザの刃を使用しても、排出口に隙間が生じることが無い。このため、前記カッター１０の形状が限定されることがなく、プリンタ用紙の切断性能と防滴・防塵機能を両立できる。
【００６１】
〔第２の実施の形態〕
図５は本発明の第２の実施の形態に係るシート排出装置及び該シート排出装置を備えたプリンタ装置を示す断面図である。
【００６２】
本実施の形態では、ガイド部８１のプリンタ用紙搬送方向下流側の先端に、プリンタ用紙を切断する切断部としてのカッター１０１が別体で形成されたものである。また、前記第１の実施の形態と同様に前記カッター１０１の先端は、前記プリンタ用紙の搬送方向に平行且つ、前記プリンタ装置の筐体３Ａの表面に突出しない位置に形成されている。
【００６３】
また、前記カッター１０１は、前記ガイド部８１の前記搬送面８１ａと、前記可撓性部材９の前記曲面部９ａの先端との当接位置よりもプリンタ用紙の搬送方向下流側に設けられている。尚、前記カッター１０１は、プリンタ装置の筐体３Ａ側にネジ止め等や、接着等により固定されている。
【００６４】
従って、前記ガイド部８１が形成される排出口４の形状が用紙切断に適さない形状である場合、プリンタ用紙に予めミシン目等の切断を容易にする処理が施されていない場合、又はプリンタ用紙の厚みや硬さが異なる場合にも、カッター１０１の材料や刃先形状を適宜選択することによりプリンタ用紙の切断を容易とすることができる。
【００６５】
その他の構成については、上記第１の実施の形態に係る携帯情報端末に備えられたプリンタ装置と同様であるので説明を省略する。
【００６６】
〔第３の実施の形態〕
図６は本発明の第３の実施の形態に係るシート排出装置及び該シート排出装置を備えたプリンタ装置を示す断面図である。
【００６７】
本実施の形態では、ガイド部８２が、前記プリンタ装置の筐体３Ａとは別体に形成される。また、前記ガイド部８２のプリンタ用紙搬送方向下流側の先端に、プリンタ用紙を切断する切断部であるところのカッター１０２が、前記ガイド部８２と一体に形成されている。前記ガイド部８２は、逆Ｌ字型に屈曲されて前記カッター１０２とは逆側の基端が、前記筐体３Ａの裏面に回りこんで前記排出口４の一辺に固定されている。
【００６８】
従って、プリンタ用紙の切断が容易になるとともに、前記ガイド部８２の前記排出口への固定が確実に行われる。
【００６９】
尚、その他の構成は上記第１の実施の形態に係るシート排出装置及び該シート排出装置を備えたプリンタ装置と同様であるので説明を省略する。
【００７０】
〔第４の実施の形態〕
図７は本発明の第４の実施の形態に係るシート排出装置及び該シート排出装置を備えたプリンタ装置を示す断面図である。
【００７１】
本実施の形態では、ガイド部８３は、前記プリンタ装置の筐体３Ａとは別体に形成される。また、前記ガイド部８３のプリンタ用紙搬送方向下流側の先端に、プリンタ用紙を切断する切断部であるところのカッター１０３が、一体に形成されている。また、前記第１の実施の形態と同様に前記カッター１０１の先端は、前記プリンタ用紙の搬送方向に平行且つ、前記プリンタ装置の筐体３Ａの表面に突出しない位置に形成されている。
【００７２】
可撓性部材９１は、長方形のシート状弾性体の長手方向と直交する方向を折り返すように湾曲させて曲面部９１ａを形成するとともに、前記シート状弾性体の両端部分が重ね合わされて、当該両端重ね合わせ部分が、前記排出口４の他辺から前記プリンタ装置３内側に湾曲しながら垂下される突状部１３の下端に、固定されている。従って、前記可撓性部材９１は、前記排出口４よりも前記プリンタ装置３の内側にオフセットして配置されることになり、前記可撓性部材９１表面は、大部分が前記排出口４から露呈することがなく、その表面が保護される。
【００７３】
また、前記可撓性部材９１は、前記曲面部９１ａの前記搬送面８３ａとの接触位置と、前記可撓性部材９１の両端重ね合わせ部分とを通る中心線が、前記搬送面８３ａに対して垂直となるように、前記可撓性部材９１が前記突状部１３に固定されている。
【００７４】
その他の構成は、前記第１の実施の形態に係るプリンタ装置と同様であるので説明を省略する。
【００７５】
従って、プリンタ用紙の搬送時に前記可撓性部材９１が、プリンタ用紙に引っ張られるような力が作用しても、前記可撓性部材９１は、そのループ形状を変形させながら安定して前記搬送面８３ａと前記曲面部９１ａとの間でプリンタ用紙を挟み込むので、更に高い防滴・防塵機能を得る事ができる。
【００７６】
また、プリンタ用紙をプリンタ装置３内に戻す（バックフィード）時においても前記可撓性部材９がプリンタ装置３内に巻き込まれて排出口４の防滴・防塵機能が失われることは無い。
【００７７】
〔第５の実施の形態〕
図８は本発明の第５の実施の形態に係るシート排出装置及び該シート排出装置を備えたプリンタ装置を示す断面図である。
【００７８】
本実施の形態では、前記ガイド部８４は、前記プリンタ装置の筐体３Ａとは別体に形成されるとともに、前記ガイド部８４のプリンタ用紙搬送方向下流側の先端にプリンタ用紙を切断する切断部であるところのカッター１０４が一体に形成されている。また、前記ガイド部８４は逆Ｌ字型に屈曲されて前記カッター１０４とは逆側の基端が前記筐体３Ａの裏面に回りこんで前記排出口４の一辺に固定されている。
【００７９】
前記可撓性部材９２は、長方形のシート状弾性体の長手方向と直交する方向を折り返すように湾曲させて曲面部９２ａを形成するとともに、前記シート状弾性体の両端を重ね合わせて、当該両端重ね合わせ部分が前記排出口４に直接固定されている。
【００８０】
その他の構成は、前記第１の実施の形態に係るプリンタ装置と同様であるので説明を省略する。
【００８１】
尚、本発明のシート排出装置は、筐体内にプリンタ装置を備えたもののみならず、プリンタ装置を備えていないものにも適用可能である。従って、予め印刷されたシートを排出する例えば、発券装置等にも好適に適用可能である。
【００８２】
また、予め所定のサイズに切断されたシートを排出するものにあっては、上述した切断部としてのカッターを備えていないものにも適用可能である。また、前記切断部としてのカッターには、オートカッター等多数の形態が適用でき、その設置場所も様々であるので、上記実施の形態におけるカッターの設置場所に限定されるものではない。
【００８３】
更に、本発明のプリンタ装置は、図１に示した携帯情報端末、いわゆるハンディターミナルに適用する場合に限らず、防滴・防塵機能が必要な環境下で使用されるプリンタ装置を備えた機器に適用でき、例えば、屋外で使用される携帯プリンタや、小型プリンタを備えたデジタルカメラ等にも好適に適用可能である。
【００８４】
【発明の効果】
以上説明したように、本発明によれば、シート未排出時は、前記可撓性部材の曲面部が前記ガイド部に密接し、また、シート排出時は、前記可撓性部材の曲面部が前記シートの搬送方向に左右されずに変形して、シートの表裏面に前記ガイド部及び前記可撓性部材の曲面部が隙間なく当接するので、高い防滴・防塵機能を得ることができる。
【００８５】
更には、シートのバックフィード時に可撓性部材がシートに引っ張られて排出口から筐体内に巻き込まれることが防止できる。
【図面の簡単な説明】
【図１】図１は本発明が適用される携帯情報端末を示す斜視図である。
【図２】図２は本発明の第１の実施の形態に係るシート排出装置及び該シート排出装置を備えたプリンタ装置を示す断面図である。
【図３】図３は本発明の第１の実施の形態に係るシート排出装置及び該シート排出装置を備えたプリンタ装置を示す断面図である。
【図４】図４はプリンタ用紙を切断する場合を示す断面図である。
【図５】図５は本発明の第２の実施の形態に係るシート排出装置及び該シート排出装置を備えたプリンタ装置を示す断面図である。
【図６】図６は本発明の第３の実施の形態に係るシート排出装置及び該シート排出装置を備えたプリンタ装置を示す断面図である。
【図７】図７は本発明の第４の実施の形態に係るシート排出装置及び該シート排出装置を備えたプリンタ装置を示す断面図である。
【図８】図８は本発明の第５の実施の形態に係るシート排出装置及び該シート排出装置を備えたプリンタ装置を示す断面図である。
【図９】図９は従来のプリンタ装置を示す断面図である。
【図１０】図１０は従来のプリンタ装置でプリンタ用紙を切断する場合を示す断面図である。
【符号の説明】
１  …携帯情報端末機
２  …入力部
３  …プリンタ装置
３Ａ  …筐体
４  …排出口
５  …プリンタ用紙（シート）
８、８１、８２、８３、８４  …ガイド部
９、９１、９２  …可撓性部材
１０、１０１、１０２、１０３、１０４  …カッター
【図１】
2005001866.tif 000003
【図２】
2005001866.tif 000004
【図３】
2005001866.tif 000005
【図４】
2005001866.tif 000006
【図５】
2005001866.tif 000007
【図６】
2005001866.tif 000008
【図７】
2005001866.tif 000009
【図８】
2005001866.tif 000010
【図９】
2005001866.tif 000011
【図１０】
2005001866.tif 000012